(57)【要約】      （修正有）【課題】手で持つ柄部と、柄部の先部に形成された皿状部とで構成されるスプーンにおいて、さまざまな形状の容器の底部、隅部、側部等に残った食材を確実に、且つ効率よく掬い取るとともに、缶容器のプルトップも開口することができるスプーンを提供する。【解決手段】手で持つ柄部２と、柄部２の先部に形成された皿状部１０とで構成されるスプーンにおいて、皿状部１０は、容器の底面及び底面隅部に係合する皿状部先部１１と、容器の側面に係合する皿状部側部１２とで形成され、皿状部側部１２は、皿状部先部１１に対して異なる角度にて形成されている。また、柄部２の基部に、缶容器のプルトップを開口する突状部を形成した。【選択図】図１
0003186230.tif 000002
【実用新案登録請求の範囲】
【請求項１】
手で持つ柄部と、柄部の先部に形成された皿状部とで構成されるスプーンにおいて、前記皿状部は、容器の底面及び底面隅部に係合する皿状部先部と、容器の側面に係合する皿状部側部とで形成され、前記皿状部側部は、皿状部先部に対して異なる角度にて形成されていることを特徴とするスプーン。
【請求項２】
前記皿状部先部は、底部直状部と、底部直状部の両端に形成された第一角状部と第二角状部とからなる請求項１記載のスプーン。
【請求項３】
前記皿状部側部は、第一角状部に連設された第一側面直状部と、第二角状部に連設された第二側面直状部とからなる請求項１または２に記載のスプーン。
【請求項４】
前記第二側面直状部の上部に、容器の上部凹溝に係合する係合部を形成した請求項３記載のスプーン。
【請求項５】
前記柄部の基部に、缶容器のプルトップを開口する突状部を形成した請求項１乃至４のうちいずれか１項に記載のスプーン。
【請求項６】
前記柄部及び／または皿状部にデザイン部を形成した請求項１乃至５のうちいずれか１項に記載のスプーン。
【考案の詳細な説明】
【技術分野】
【０００１】  本考案は、さまざまな形状の容器の底部、隅部、側部等に残った食材を確実に、且つ効率よく掬い取るとともに、缶容器のプルトップも開口することができるスプーンに関する。
【背景技術】
【０００２】  食品を掬い取ったり、薬品を混ぜたり量ったりするための道具としてスプーンがある。一般的なスプーンは、物を乗せる皿状部と手で持つ柄からなり、ステンレス、銀、プラスチック、木製等のさまざまな素材で形成されている。【０００３】  また、上記のスプーンに関する先行技術として、容器の隅の部分に残存する食物する摂食を容易にして使用の便利性を確保できるスプーンがある（例えば特許文献１参照）。
上掲特許文献１のスプーンは、食物を摂取するために使うスプーンで、ヘッド部と取っ手を有し、上記スプーンのヘッド部は多角形状で成り立つことを特徴とし、前記多角形状のスプーンヘッド部は三角形、四角形、５角形および６角形の中から選択される。
【先行技術文献】
【特許文献】
【０００４】
【特許文献１】実用新案登録第３１７６５８３号公報
【考案の概要】
【考案が解決しようとする課題】  上掲特許文献１のスプーンは、スプーンのヘッド部が直線状の辺を持つ多角形状で形成されていて直線で成り立った各辺が底面と壁面に隙間がなく密着して上記底面と壁面に位置する食材を残さずヘッド部に掬い出せるという効果を有するが、辺が取っ手に対して左右対称に形成されているため、容器の形状、例えば本体の径より小径の開口部を有する容器によっては底面の隅と壁面に残る食材を効率よく掬い出せないという欠点があった。また、上掲のスプーンは容器内の食材を掬い出すということのみに使われ、他の用途には使用できないという問題もあった。【０００５】  そこで本考案は上記の点に鑑み、手で持つ柄部と、柄部の先部に形成された皿状部とで構成されるスプーンにおいて、さまざまな形状の容器の底部、隅部、側部等に残った食材を確実に、且つ効率よく掬い取るとともに、缶容器のプルトップも開口することができるスプーンを提供することにある。
【解決を解決するための手段】
【０００６】  上記課題を解決するために本考案のスプーンは、手で持つ柄部と、柄部の先部に形成された皿状部とで構成されるスプーンにおいて、前記皿状部は、容器の底面及び底面隅部に係合する皿状部先部と、容器の側面に係合する皿状部側部とで形成され、前記皿状部側部は、皿状部先部に対して異なる角度にて形成されていることを特徴とする。
【０００７】  また皿状部先部は、底部直状部と、底部直状部の両端に形成された第一角状部と第二角状部とからなる。
【０００８】  また皿状部側部は、第一角状部に連設された第一側面直状部と、第二角状部に連設された第二側面直状部とからなる。
【０００９】  また第二側面直状部の上部に、容器の上部凹溝に係合する係合部を形成した。
【００１０】  また柄部の基部に、缶容器のプルトップを開口する突状部を形成した。
【００１１】  さらに柄部及び／または皿状部にデザイン部を形成することが好ましい。
【考案の効果】
【００１２】  本考案のスプーンは、皿状部が、容器の底面及び底面隅部に係合する皿状部先部と、容器の側面に係合する皿状部側部とで形成され、前記皿状部側部は、皿状部先部に対して異なる角度にて形成されていることにより、さまざまな形状の容器の底面、底面隅部、側面部に残った食材を容易に、且つ確実に掬い取ることができる。
【００１３】  また皿状部の上部に、容器の上部凹溝に係合する係合部を形成したことにより、容器の上部凹溝に残った食材も掬い取ることができる。
【００１４】  また柄部の基部に、缶容器のプルトップを開口する突状部を形成したことにより、缶容器のプルトップも少ない力で容易に開口することができる。
【図面の簡単な説明】
【００１５】
【図１】本考案のスプーンの正面図である。
【図２】他の好適例であるスプーンの正面図である。
【図３】本考案のスプーンの使用状態の断面図である。
【図４】他の使用状態の断面図である。
【図５】容器の上部を掬い取る状態の断面図である。
【図６】缶容器のプルトップを開口する状態の使用例である。
【図７】他の好適例、デザイン部を形成したスプーンの正面図である。
【考案を実施するための形態】
【００１６】  本考案のスプーンは、さまざまな形状の容器の底部、隅部、側部等に残った食材を確実に、且つ効率よく掬い取るとともに、缶容器のプルトップも開口することができることを特徴とする。
以下、本考案のスプーンにおける実施の形態を図面に基づいて説明する。
【００１７】  図１に示すスプーン１は、手で持つ柄部２と、柄部の先部に形成された皿状部１０とで構成され、前記皿状部１０は、容器の底面及び底面隅部に係合する皿状部先部１１と、容器の側面に係合する皿状部側部１２とで形成されている。また特に、前記皿状部側部１２は、皿状部先部１１に対して異なる角度にて形成されていることを特徴とする。
【００１８】  前記皿状部１０は、細長矩形状を呈しており、先方には、容器の底面及び底面隅部に係合する皿状部先部１１が形成されている。皿状部先部１１は、容器の底面に係合する底部直状部１３と、底部直状部１３の両端に形成された第一角状部１４と第二角状部１５とからなる。
【００１９】  底部直状部１３は、図３に示すように、柄部２を略垂直に配置させることにより、容器２０の底面２１に係合される。そのことにより、容器２０の底面２１に残った食材を効率よく掬い取ることができる。
【００２０】  第一角状部１４と第二角状部１５は、底部直状部１３の両端に形成されており、やや湾曲された形状の角状を呈している。そのことで、図３に示すように、柄部２を略垂直に配置させることにより、容器２０の底面隅部２２に係合され、底面隅部２に残った食材を効率よく掬い取ることができる。
【００２１】  皿状部側部１２は、前記第一角状部１４に連設された第一側面直状部１６と、第二角状部１５に連設された第二側面直状部１７とからなる。第一側面直状部１６を形成することで、図３に示すように、柄部２を略垂直に配置させることにより、容器２０の側面２３に係合され、容器２０の側面２３に残った食材を効率よく掬い取ることができる。
【００２２】  前記皿状部１０に、上述構造の皿状部先部１１と皿状部側部１２を備えることで、図示するように、柄部２を略垂直に配置させて回動することで、容器２０の底面２１、底面隅部２２、側面２３に残った食材を効率よく、且つ確実に掬い取ることが可能となり、容器内の食材を残すことなく大切に食することができる。
【００２３】  また特に、前記皿状部側部１２は、皿状部先部１１に対して異なる角度にて形成されている。図１に示すように、皿状部側部１２の第一側面直状部１６は、皿状部先部１１に対してやや直角に近い角度ａに形成されている。また第二側面直状部１７は、皿状部先部１１に対してやや鋭角の角度ｂに形成されている。
【００２４】  前記第一側面直状部１６及び第二側面直状部１７の角度を、皿状部先部１１に対して異なる角度にて形成することにより、図３に示すように、例えば大径の開口部を有する容器２０においては、第一側面直状部１６にて容器の側面２３に残った食材を掬いとることができる。
【００２５】  また図４に示すように、小径の開口部を有する容器３０、例えばジャムを収容する容器においては、第二側面直状部１７を容器３０の側面３２に配置させることにより、第二側面直状部１７が容器３０の側面３２に好適に係合され、容器の側面３２に残った食材を掬いとることができる。そのため、異なる形状を呈するさまざまな容器にも自在に使用することができる。
【００２６】  また第二側面直状部１７の上部には、容器３０の上部凹溝３１に係合する係合部１８が形成されている。前記第二側面直状部１７の上部に係合部１８を形成することで、図５に示すように、容器３０の上部凹溝３１に残った食材も容易に掬い取ることができる。
【００２７】  また他の好適例として、図２に示すように、柄部２の基部に、缶容器のプルトップを開口する突状部３を形成した。突状部３は細長状を呈しており、先方はやや反り返った状態に形成されている。柄部２の基部に突状部３を形成したことにより、図６に示すように、缶容器４０のプルトップ４１の穴に突状部３を挿入し上方に引き上げることで、少ない力で容易に缶容器４０を開口することができる。
【００２８】  また他の好適例として、図７に示すように、柄部２及び／または皿状部１０に、デザイン部４を形成することが好ましい。デザイン部４は、図示するように柄部２と皿状部１０の間に、また柄部２と突状部３との間にハート状に形成されている。本考案のスプーン１にデザイン部４を形成することにより、外観面における楽しさや優雅さを醸し出すことができる。なお、デザイン部４の形状は特に限定されるものではなく、さらにデザイン４を施す箇所も、上述の箇所に限定されるものではない。
【００２９】  本考案のスプーン１は、上述の構造とすることで、さまざまな形状の容器の底面、底面隅部、側面部に残った食物を容易に、且つ確実に掬い取ることができ、食材を最後まで大切に食することができる。また柄部２の基部に、缶容器のプルトップを開口する突状部３を形成したことにより、缶容器のプルトップを少ない力で容易に開口することができる。
【符号の説明】
【００３０】１    スプーン
２    柄部
３    突状部
４    デザイン
１０  皿状部
１１  皿状部先端部
１２  皿状部側部
１３  底部直状部
１４  第一角状部
１５  第二角状部
１６  第一側面直状部
１７  第二側面直状部
１８  係合部
２０  容器
２１  底面
２２  底面隅部
２３  側面
【図１】
0003186230.tif 000003
【図２】
0003186230.tif 000004
【図３】
0003186230.tif 000005
【図４】
0003186230.tif 000006
【図５】
0003186230.tif 000007
【図６】
0003186230.tif 000008
【図７】
0003186230.tif 000009